(57)【要約】【課題】棟瓦を構成する“のし瓦”群を、針金を使ってズレ止する作業を、大幅に省力化出来る様にすると共に、巨大地震の発生時のズレ落ち対策も講じた“のし瓦”と、その葺き工法を提供する。【解決手段】“のし瓦”の上面の１箇所以上に、針金を引っ掛ける為の掛止用突起を設けて置き、棟の両側に縦列状に２列に並ぶ“のし瓦”群の夫々の掛止用突起に、長尺の針金を、棟の一端側から他端側に向けて、棟をジグザグ状に跨いで交互に、切れ目無く順次掛け渡して行くことを特徴とする。  そして、掛止用突起は、“のし瓦”の上面に対して傾斜状態で突設するか、或いは、屈曲形状にするとよい。又、針金は、その掛け渡し途中で、掛止用突起や棟瓦固定用のアンカー釘等に１回以上巻き付けるとよい。【選択図】図３
2006022583.tif 000002
【特許請求の範囲】
【請求項１】
棟の両側に隙間を隔てて対置した１組の“のし瓦”同士、及び棟の長手方向に隣り合う“のし瓦”同士を、ズレ動かない様に、針金を使って互いに掛止させる為の、掛止手段を備えており、
前記掛止手段は、針金を引っ掛ける為に、“のし瓦”の上面の１箇所以上に設けた、掛止用突起であることを特徴とするのし瓦。
【請求項２】
掛止用突起は、引っ掛け済みの針金が外れない様に、“のし瓦”の上面に対して傾斜させるか、又は、屈曲形状にしたことを特徴とする請求項１記載ののし瓦。
【請求項３】
請求項１及び２に記載の“のし瓦”を用いた葺き工法であって、
棟の両側に隙間を隔てて、棟の全長にわたって縦列状に、２列の“のし瓦”群を葺く作業工程と、
各“のし瓦”をズレ止めする長尺の針金を、棟の一端側から他端側に向けて、棟をジグザグ状に跨がらせながら、棟の両側に２列に並ぶ“のし瓦”群の夫々の掛止用突起に交互に、切れ目無く順次掛け渡して行く作業工程とを含むことを特徴とするのし瓦の葺き工法。
【請求項４】
針金を、“のし瓦”群の夫々の掛止用突起に順次掛け渡して行く作業の途中で、棟瓦固定用のアンカー釘等にも掛け渡す作業工程を含むことを特徴とする請求項３記載ののし瓦の葺き工法。
【請求項５】
針金は、掛止用突起や、棟瓦固定用のアンカー釘等に、一回以上巻き付ける作業工程を含むことを特徴とする請求項３又は４記載ののし瓦の葺き工法。
【発明の詳細な説明】
【技術分野】
【０００１】
本発明は、棟の両側に所定幅の隙間を隔てて縦列状に対置した“のし瓦”同士を、ズレ動かない様に針金を用いて連結させる方法を改善することにより、葺き作業の能率と、耐地震性とを、顕著に高められる様に工夫された“のし瓦”と、その葺き工法に関する。
【背景技術】
【０００２】
従来の、棟瓦の葺き工法の代表例を、図５〜図７に示した。        
この葺き工法の概略を説明するとは、図５，図６に示した様に、野路板の上に平瓦５１を軒先から順次葺き上げ終え後に、棟の両側の葺き終わり端同士の間に残されている隙間ａを埋める様にして、且つ、平瓦５１の一部にも覆い被さる様にして、葺き土５２を適宜の厚さに盛り付ける。
そして、この葺き土５２の上に、縦列状に連ねた２列の“のし瓦”５０群を、所定幅の隙間を隔てて対向状に据え置く。
【０００３】
“のし瓦”５０には、図７に示した様に、据え置いた“のし瓦”５０がズレ動くのを防ぐ為の針金６０の挿通孔ｂを設けてある。
所定長さの針金６０は、個々の“のし瓦”５０毎に、挿通孔ｂに差し通したうえ、その一端側は括り止する。
そして、対向して位置する１組の“のし瓦”５０，５０に夫々に括り止した針金６０，６０の他端同士を、図示の様に互いに撚り合わせて連結させれば、１組の“のし瓦”５０，５０は互いにズレ止状態になる。
【０００４】
この様にして、対向する各１組の“のし瓦”５０，５０毎にズレ止めされた、一段目の“のし瓦”５０群の上に、葺き土５２を上記と同様にして盛り重ねたうえ、上記と同様にして二段目の“のし瓦”５０群を葺き重ねる。
以後、同様にして所望段数の“のし瓦”５０群を葺き重ね終えたら、その上の被せた冠瓦５３を、棟芯材５５に打ち込んだアンカー釘５４やステンレスねじ等によって固定させれば、棟瓦の葺き作業は完了する。
【発明の開示】
【発明が解決しようとする課題】
【０００５】
上記の如き、従来の葺き工法によると、棟の両側に縦列状に対置された２列の“のし瓦”５０群は、個々の“のし瓦”５０毎に、夫々の挿通孔ｂに針金６０を差し通して括り止したうえ、１組の針金６０，６０同士を撚り合わせ連結するといった、甚だ面倒で非能率な作業を、“のし瓦”５０の所要枚数と同じ回数だけ繰り替えすことを余儀なくされる。
【０００６】
然も、針金６０を使ってズレ止め出来るのは、対向して位置する各１組の“のし瓦”５０，５０同士の間だけに限られる。
棟の両側に縦列状に配置されて、隣り合う“のし瓦”５０，５０同士を連結させることは出来ない。
即ち、各段に葺かれている総ての“のし瓦”同士を、互いに一体に連結させること等は到底出来ない。   
【０００７】
そこで、本発明の目的は、針金を使っての、“のし瓦”のズレ止め作業の能率を顕著に高められ、然も、各段に葺かれている総ての“のし瓦”同士を、互いに一体に連結させることが出来て、優れた耐地震性を備えた“のし瓦”と、その葺き工法を提供するにある。
【課題を解決するための手段】
【０００８】
上記の目的を達成する為の、本発明による“のし瓦”は、
棟の両側に隙間を隔てて対置した１組の“のし瓦”同士、及び棟の長手方向に縦列状に隣り合う“のし瓦”同士を、ズレ動かない様に、針金を使って互いに掛止させる為の、掛止手段を備えており、
前記掛止手段は、針金を引っ掛ける為に、“のし瓦”の上面の１箇所以上に設けた、掛止用突起であることを特徴とする。
掛止用突起は、引っ掛け済みの針金が外れない様に、“のし瓦”の上面に対して傾斜させるか、又は、屈曲形状にするとよい。
【０００９】
そして、本発明による“のし瓦”の葺き工法は、
請求項１及び２に記載の“のし瓦”を用いた葺き工法であって、
棟の両側に隙間を隔てて、棟の全長にわたって縦列状に、２列の“のし瓦”群を葺く作業工程と、
各“のし瓦”をズレ止めする長尺の針金を、棟の一端側から他端側に向けて、棟をジグザグ状に跨がらせながら、棟の両側に２列に並ぶ“のし瓦”群の夫々の掛止用突起に交互に、切れ目無く順次掛け渡して行く作業工程とを含むことを特徴とする。
そして、針金を、“のし瓦”群の夫々の掛止用突起に順次掛け渡して行く作業の途中で、棟瓦固定用のアンカー釘等にも掛け渡すとよい。
又、針金は、掛止用突起や棟瓦固定用のアンカー釘等に、一回以上巻き付けるとよい。
【発明の効果】
【００１０】
本発明による“のし瓦”を用いた葺き工法は、以下に列挙した如き実用上の優れた特長を備えている。
（ａ）ズレ止用の長尺の針金を、棟の一端側から他端側に向けて、棟をジグザグ状に跨がせながら、棟の両側に縦列状に２列に並ぶ“のし瓦”群の夫々の掛止用突起に、交互に切れ目無く順次掛け渡す方法を採っている。
（ｂ）従って、従来の様に、棟の両側に対置した各１組の“のし瓦”毎に、針金を挿通状に架け渡して互いに括り付けてズレ止するという、極めて非能率な工法に比べて比較にならない程、作業能率を高められる。
（ｃ）又、作業の習熟者でなくても、作業能率を十分に高められる。
（ｄ）１本の針金を、隣接する“のし瓦”群に順次、緊張状態で切れ目無く掛け渡して行く過程で、棟の両側に対向して位置する各１組の“のし瓦”間、及び縦列状に連なる“のし瓦”相互間には、互に引き付け合う力が作用する。
（ｅ）即ち、複数段に積み重ねた“のし瓦”群のうち、各段を構成する“のし瓦”群は、その総てが針金を介して互いに一体に連らなった状態になる。
（ｆ）その為に、巨大地震の発生時に、建物が縦・横方向に大きく揺り動かされても、棟を覆う“のし瓦”群が、バラバラに分離して地上に降り注ぐ恐れが殆ど皆無になる。
（ｇ）掛止用突起を、傾斜させたり、屈曲形状にすることによって、引っ掛け済みの針金が、何等かのハズミで掛止用突起から外れてしまう恐れが無くなる。
（ｈ）隣り合う掛止用突起間に掛け渡した状態の針金は、固化後の葺き土層の中に埋め込まれた状態になるので、これによっても、上記の耐地震性が高められる。
（ｉ）葺き土の層中に埋没した掛止用突起は、“のし瓦”をズレ止めする役割も果たしてくれる。
【発明を実施するための最良の形態】
【００１１】
以下に、本発明の具体的な構成に就いて、図面を参照しながら説明する。
先ず、図１に、本発明による“のし瓦”の一実施例を、斜視図として示した。
この“のし瓦”は、在来品と同様に、２枚の“のし瓦”Ａ，Ａを横並びに一体に連ねた形態で製作し、販売される。
【００１２】
この２枚続きの“のし瓦”は、図１に示した様に、その真ん中に設けた分割用溝２に沿って、打撃力を加えるだけで、至極簡単に２枚の“のし瓦”Ａ，Ａに分割出来る。図中に破線で囲った部分が破断面ｃとなる。
【００１３】
個々の“のし瓦”Ａの上面側には、破断面ｃから所定寸法だけ距たった２個所に、“のし瓦”Ａのズレ止め用の針金Ｂを引っ掛ける為の（図３参照）掛止用突起１を、“のし瓦”Ａと一体に突設している。
【００１４】
この掛止用突起１は、“のし瓦”Ａの縦断面形状の一例を示した図２の様に、“のし瓦”Ａの上面に対して垂直向きにせずに、棟から距たる方向に傾斜させるとよい。
図２中に示した、この傾斜角度θは、杯土から“のし瓦”を成形する工程で、脱型作業に支障を来さない限りに於いて、成るべく鋭角にするとよい。
【００１５】
或いは、掛止用突起１は、傾斜させる代わりに、針金Ｂが引っ掛かり易い、フック状等の屈曲形状にしてもよい。
その場合は、勿論、成形し終えた“のし瓦”Ａを、型から取り出す際のことを考慮に入れる必要がある。
【００１６】
掛止用突起１を、この様に傾斜させたり、屈曲形状にすれば、掛止用突起１に引っ掛けた筈の針金Ｂが、何等かのハズミで外れてしまう恐れが殆ど無くなる。
図２に示した様に、“のし瓦”Ａの裏側面には、葺き土５２に食い込ませてズレ止めする為の、ズレ止用突起３を設けている。
尚、葺き土５２の層中に埋没した掛止用突起１は、“のし瓦”Ａのズレ止めにも役立つ。
【００１７】
次に、図１に示した“のし瓦”Ａを使って、棟瓦を葺く工法の一例に就いて、図３及び図５，図６を参照しがら説明する。
先ず、既述の様に、屋根の野路板の上に平瓦５１を軒先から順次葺き上げ終え後に、棟の両側の葺き終わり端同士の間に残されている隙間ａを埋める様にして、且つ、平瓦５１の一部にも覆い被さる様にして葺き土５２を適宜の厚さに盛り付ける。
【００１８】
然かる後、この葺き土５２の上に、棟の両側に所定巾の隙間を隔てた状態で、縦列状に連なる２列の“のし瓦”Ａ群を、据え置く。
この時、“のし瓦”Ａの裏面のズレ止用突起３が、葺き土５２の層中に食い込むことによって、或る程度のズレ止め効果が得られる。
【００１９】
次に、針金Ｂを使って、上記の“のし瓦”Ａ群同士を一連に連なった状態で、互いに掛止させる作業に取り掛かる。
先ず、屋根の棟の長さの２倍以上の長さの針金Ｂを用意し、その真ん中で２つ折りする。
【００２０】
２つ折り済みの針金Ｂは、そのままでは、以後の、掛止用突起１群に順次引っ掛けて行く作業をスムーズに行い難いので、巻き枠を使って巻き縮めるか、又は、複数本に分断して置き、引っ掛け作業の進行に連れて継ぎ足す様にする、等してもよい。
【００２１】
この様にして、前準備を終えた針金Ｂは、その折り曲げ端側を、図３の左端側に示した様に、対向して位置する一組の“のし瓦”Ａ，Ａの、各左側の掛止用突起１，１に緊張状態で架け渡しながら、夫々の突起に１回以上巻き付ける。
【００２２】
この巻き付け終えた夫々の針金Ｂは、次に、図の右側の掛止用突起１，１に緊張状態で架け渡しながら、これ等の突起にも１回以上巻き付ける。
或いは、単に、掛止用突起１に引っ掛けるだけでもよい。
【００２３】
図３の左側の１組の“のし瓦”Ａ，Ａに、上記の如くして針金Ｂを引っ掛け終えたら、次に、図３の真ん中に対向して位置する１組の“のし瓦”Ａ，Ａへの針金Ｂの引っ掛け作業に移る。
【００２４】
それには、上記の右側の掛止用突起１，１に夫々巻付済みの２本の針金Ｂを、Ｘ状に交叉させたうえ、夫々の針金Ｂを、図３の真ん中の１組の“のし瓦”Ａ，Ａの、各左側の掛止用突起１，１に緊張状態で架け渡しながら、夫々の突起に１回以上巻き付ける。
【００２５】
ここ迄の作業を終えた段階で、図３の左側の１組の“のし瓦”Ａ，Ａは、計６本の掛止用突起１間に緊張状態で掛け渡された針金Ｂによって、互いに引き付け合う様な作用力Ｆを受けることになる。
更に、図３の左側“のし瓦”Ａ と真ん中の“のし瓦”Ａは、夫々の“のし瓦”Ａの右側の掛止用突起１と、左側の掛止用突起１との間に緊張状態でＸ状に掛け渡された針金Ｂによって、互いに引き付け合う様な作用力Ｇを受けることになる。
【００２６】
次に、図３の真ん中の１組の“のし瓦”Ａ，Ａの、各左側の掛止用突起１，１の夫々に緊張状態で巻き付け終えた針金Ｂは、上記と同様にして、各右側の掛止用突起１，１の夫々に緊張状態で巻き付ける。
続いて、この２本に分かれている針金Ｂを、上記と同様にＸ状に交叉させたうえ、図の右側の対置された１組の“のし瓦”Ａ，Ａの各左側の掛止用突起１，１に上記と同様にして緊張状態で巻き付ける。
【００２７】
以後は、棟の全長に亘って、その両側に縦列状に並べられている、残りの総ての“のし瓦”Ａにも、１本に連なった針金Ｂの残りの部分を、順次掛け渡して行けばよい。
この掛け渡しを終えて状態で、棟を隔てて対置された複数組の“のし瓦”Ａ，Ａの各相互間、及び棟の長手方向に縦列状に連なる“のし瓦”Ａの相互間の総てに、１本に連なった緊張状態の針金Ｂが、上記の引付作用力Ｆ，Ｇを及ぼすことになる。
【００２８】
その上、 隣り合う掛止用突起１，１間に掛け渡した状態の針金Ｂは、固化後の葺き土５２の層中に埋め込まれた状態になる
【００２９】
その為に、若し、巨大地震が発生して、木造建物が縦・横方向に大きく揺り動かされた場合でも、棟を覆う“のし瓦”Ａ群が、バラバラに分離されて地上に降り注ぐといった危険な事態を招く恐れは、殆ど皆無になる。
【００３０】
次に、図４は、“のし瓦”Ａ群への針金Ｂの掛け渡し方の、別の実施例を示した、図３相当図である。
【００３１】
図４に明らかな様に、この場合は、長尺の１本の針金Ｂを、棟の両側に縦列状に２列に並べられた“のし瓦”Ａ群の各掛止用突起１に、棟の一端側から他端側に向けて、棟をジグザグ状に跨がせながら、千鳥掛け状に掛け渡している。
この場合も、上記の引付作用力Ｆ，Ｇが総ての“のし瓦”Ａに及ぼされることになる。
【図面の簡単な説明】
【００３２】
【図１】本発明による“のし瓦”の一実施例を示すもので、２枚の“のし瓦”を一連に連ねた状態で生産された、“のし瓦”の斜視図である。
【図２】同上、“のし瓦”の断面形状を例示した縦断面図である。
【図３】同上、棟の両側に２列に縦列状に配置した１枚１枚の“のし瓦”に、長尺の１本の針金を順次掛け渡して行く作業手順の、一例を示した平面図である。
【図４】同上、上記作業手順の別の例を示した平面図である。
【図５】従来例を示すもので、屋根の棟瓦の葺き構造を示した縦断面図である。
【図６】同上、屋根の棟瓦の葺き構造を示した部分斜視図である。
【図７】同上、棟の両側に対置した１組の“のし瓦”同士を、針金を使って互いに連結させる工法を説明した縦断面図である。
【符号の説明】
【００３３】
Ａ  “のし瓦”
Ｂ  針金
１  掛止用突起
２  分割用溝
３  ズレ止用突起
５０  従来の“のし瓦”
５１  平瓦
５２  葺き土
５３  冠瓦
５４  アンカー釘
５５  棟芯材
６０  針金
ａ  隙間
ｂ  挿通孔
ｃ  破断面
【図１】
2006022583.tif 000003
【図２】
2006022583.tif 000004
【図３】
2006022583.tif 000005
【図４】
2006022583.tif 000006
【図５】
2006022583.tif 000007
【図６】
2006022583.tif 000008
【図７】
2006022583.tif 000009